(57)【要約】      （修正有）【課題】狭額縁のフレームを有する表示装置を提供する。【解決手段】表示装置は、ケーシング１００と、少なくとも１つの接着部材２００と、表示パネル３００と、フレキシブルフレーム４００とを備える。ケーシングは、底板１１０と複数の側板１２０とからなり、複数の側板は、底板の側部にそれぞれ収納空間を形成するようにそれぞれ接続されている。接着部材は、底板を取り付ける。表示パネルは、収納空間Ｓに配置され、接着部材を取り付ける。可撓性要素は３つのサイドバー４１０，４２０，４３０を含む。各サイドバーは、支持部と、側部と、カバー部とを備える。側部は、支持部及びカバー部に接続する。３つの側部は、表示パネルの隣接する３つの側部にそれぞれ配置され、表示パネルの一部は、支持部とカバー部との間に挟まれる。【選択図】図２
2018136524.tif 000002
【特許請求の範囲】
【請求項１】
底板と複数の側板とを備え、前記複数の側板は、前記底板の側面にそれぞれ収納空間を形成するように接続されるケーシング、
前記底板に取り付けられた少なくとも１つの接着部材、
前記収納空間内に配置され、前記接着部材に貼り付けられた表示パネル、及び
前記表示パネルの３つの隣接する辺にそれぞれ配置された端部と、前記端部に接続された３つのサイドバーを含むフレキシブルフレームを有し、
前記サイドバーは、支持部と、側部と、カバー部と、を含み、
前記側部は、前記支持部と前記カバー部との間に位置して前記支持部と前記カバー部に接続され、
前記表示パネルの一部は、前記支持部と前記カバー部との間に挟まれている、表示装置。
【請求項２】
前記カバー部は、前記表示パネルの前記底板から離れた側に位置し、
前記カバー部は、凸状のクッションを有する、請求項１に記載の表示装置。
【請求項３】
前記カバー部は、第１の当接面を有し、
前記第１の当接面は、前記表示パネルに対して傾斜して当接されている請求項２に記載の表示装置。
【請求項４】
前記カバー部は、第１の当接面を有し、
前記側部は、第２の当接面を有し、
前記第１の当接面及び前記第２の当接面は、それぞれ前記表示パネルの隣接する辺に位置し、
前記第１の当接面は、前記第２の当接面に対して鋭角に配置されている請求項２に記載の表示装置。
【請求項５】
前記カバー部が前記側部から突出する長さは、前記支持部が前記側部から突出する長さより短い、請求項１に記載の表示装置。
【請求項６】
前記底板の前記収納空間側の面には、複数の凸部が設けられ、
前記接着部材が複数ある場合には、前記複数の凸部に複数の前記接着部材がそれぞれ取り付けられている、請求項１に記載の表示装置。
【請求項７】
前記複数の凸部のうち、少なくとも１つは溝を有し、
前記溝の一部は、前記表示パネルの外縁部に延長している、請求項６に記載の表示装置。
【請求項８】
前記溝において、前記表示パネルの前記外縁部に延長している部分を覆うカバープレートをさらに備える、請求項７に記載の表示装置。
【請求項９】
前記底板は、前記表示パネルによって覆われていない取り外し穴を有する、請求項１に記載の表示装置。
【請求項１０】
前記底板の前記表示パネルから離れた側に装飾板をさらに備え請求項１に記載の表示装置。
【発明の詳細な説明】
【技術分野】
【０００１】
本開示は、表示装置に関し、特に、フレキシブルフレームを有する表示装置に関する。
【０００２】
半導体産業およびエレクトロニクス産業に関連する発展に伴い、スマートフォン、ノートブックコンピュータ、タブレットＰＣ、薄型テレビなどのデジタル製品のトレンドは、より便利で多目的で美しいものになっている。このような製品を使用する場合には、表示画面が必要となっており、表示画面としては、液晶ディスプレイ（Ｌｉｑｕｉｄ  Ｃｒｙｓｔａｌ  Ｄｉｓｐｌａｙ）を用いることが主流になっている。ＬＣＤ装置は、自発光装置ではないので、ディスプレイを発光させるためのバックライトモジュールのような光源が必要とされている。
【０００３】
バックライトモジュールと共にＬＣＤモジュールを支持するための様々な方法が採用されてきた。従来の方法は、バックライトモジュールだけでなくＬＣＤモジュールの外縁部を囲むためにシェル（ｓｈｅｌｌ）を使用していた。しかしながら、外縁部はシェルによって大きな空間で覆われ、表示装置の全体的な厚さおよび外縁部を効果的に減少させることができなかった。すなわち、従来技術では、表示装置の表示モジュールとバックライトとが、フックとスロットで接続された２つのケーシング内に組み付けられていた。しかしながら、フック及びスロットは大きなスペースを占め、表示装置の全体の厚さ及び額縁を効果的に減少させることができなかった。
【発明の概要】
【発明が解決しようとする課題】
【０００４】
本開示は、狭額縁のフレームを有する表示装置を提供することを目的の一つとする。
【課題を解決するための手段】
【０００５】
本開示の一実施形態として開示される表示装置は、ケーシングと、少なくとも１つの接着部材と、表示パネルと、フレキシブルフレームとを備えてもよい。ケーシングは、底板と、複数の側板とを備えている。底板は、側部を有する。複数の側板は、底板の側面にそれぞれ収納空間を形成するように接続されている。接着部材は、底板に貼り付けられている。表示パネルは、収納空間内に配置され、接着部材により貼り付けられている。可撓性要素は、３つのサイドバーを含む。各サイドバーは、支持部と、側部と、カバー部とを備える。側部は、支持部とカバー部との間に位置して支持部とカバー部に接続されている。３つの側部は、表示パネルの３つの隣接する辺にそれぞれ配置され、表示パネルの一部は、支持部とカバー部との間に挟まれる。
【０００６】
上記の表示装置によれば、表示パネルの３辺がフレキシブルフレーム内に実装され、表示パネルが接着部材を介してケーシングに取り付けられ、表示パネルを金属製又はプラスチック製のフロントフレームで覆わずに搭載することにより、表示パネルの表示領域の額縁を狭めることができる。その結果、本開示の表示装置を有するデジタル製品は、より小さい画面上により大きな表示領域を提供することができ、ユーザにより良い経験を与えることができる。
【図面の簡単な説明】
【０００７】
本開示は、以下に与えられる詳細な説明および説明のみのために与えられる。したがって、本開示を限定することを意図するものではく、添付の図面によってよりよく理解される。
【０００８】
【図１】本開示の第１実施形態に係る表示装置の斜視図であり、カバープレートが取り外された状態を示す図である。
【図２】図１に示す表示装置の部分分解図を概略的に示す。
【図３】図１に示すケーシングの部分拡大正面図を概略的に示す。
【図４】図１に示す表示装置の部分拡大正面図を概略的に示し、図１に示すカバープレートを取り外した状態である。
【図５】図４に示す表示装置の部分拡大断面図を概略的に示す。
【発明を実施するための形態】
【０００９】
以下の詳細な説明では、説明のために、開示された実施形態の理解を提供するために、多くの具体的な詳細が述べられる。しかしながら、これらの特定の詳細なしに１つまたは複数の実施形態を実施できることは明らかであろう。他の例では、図面を簡単にするために、周知の構造および装置を概略的に示す。
【００１０】
従来の表示装置では、２つのモジュールを組み立てるために、表示モジュールおよびバックライトモジュールは２つの部品、すなわち部品Ａおよび部品Ｂによって囲まれていた。２つの部分は、通常、互いに接続するためのフックおよびスロットの形態をとる。部品Ｂは、表示モジュールの前面（表示面）を覆う矩形のケースであり、部品Ａは、表示モジュールの底面に配置されるケーシングであり、ディスプレイモジュールが部品Ａと部品Ｂの間に挟まれるように配置される。表示モジュールの上下左右が部品Ｂで覆われているため、表示パネルの表示面積を小さくすることができない。また、フックとスロットによって、表示装置の厚さを薄くすることもできない。そこで、狭額縁と薄型の表示装置を提供する必要がある。
【００１１】
本開示は、表示パネルを位置決めして保護するために可撓性を有し、狭額縁のフレームを有する表示装置を提供する。フレキシブルフレームを用いることにより、表示パネルを部品Ｂなしで位置決めすることができる。その結果、表示パネルの表示領域を十分に利用することができ、小さな画面上に大きな表示領域を提供することができる。
【００１２】
以下の説明では、本開示の表示装置の実施形態を例示するために、ノートブックコンピュータの表示画面を例に挙げる。表示パネルを保護するためのクッション及び小さな表示画面上のより大きな表示領域を含む、本開示の利点が明らかになる。
【００１３】
図１乃至図５を参照して説明する。図１は、本開示の第１実施形態に係る表示装置の斜視図であり、カバープレートが取り外された状態を示している。図２は、図１の表示装置の部分分解図である。図３は、図２に示すケーシングの部分拡大正面図である。図４は、図１に示す表示装置の部分拡大正面図であり、カバープレートを外した状態である。図５は、図１に示す表示装置の部分拡大断面図である。
【００１４】
本実施意形態における図１は、表示装置１０を示している。表示装置１０は、ケーシング１００、複数の接着部材２００、表示パネル３００、及びフレキシブルフレーム４００を有している。
【００１５】
図２及び図３に示すように、ケーシング１００は、底板１１０と、３つの側板１２０と、を有している。底板１１０は、複数の側面を有している。側板１２０のそれぞれは、底板１１０の側面に収納空間Ｓを形成するように接続されている。
【００１６】
底板１１０の収納空間Ｓに面する側は、接着部材２００を配置するための複数の凸部１１１、１１２、１１３、１１４が形成されている。凸部１１１及び凸部１１２は、それぞれ底板１１０の対向する面に配置され、凸部１１３及び凸部１１４は、それぞれ底板１１０の他の対向する面に配置される。また、凸部１１１及び凸部１１２は、それぞれ溝部１１１Ａ及び溝部１１２Ａを有する。溝部１１１Ａのそれぞれ凸部１１１の２つの対向する端部に近接しており、溝部１１２Ａの２つの対向する端部はそれぞれ、凸部１１２の２つの対向する端部にそれぞれ近接している。
【００１７】
また、図２に示すように、凸部１１１及び凸部１１２は、底板１１０の第１の辺に沿って設けられている。また、凸部１１３及び凸部１１４は、第１の辺と交差する第２の辺に沿って設けられている。また、図２に示すように、凸部１１３の長さ及び凸部１１４の長さは、凸部１１１及び凸部１１２の長さよりも短くてもよい。また、図２に示すように、凸部１１３は複数あってもよい。
【００１８】
さらに、底板１１０は、底板１１０の軽量化を図るために、複数のパンチ孔１１５を有していてもよい。
【００１９】
図２に示すように、接着部材２００は、例えば発泡ゴムとすることができる。各接着部材２００は、２つの接着面を有してもよい。複数の接着部材２００それぞれの一方の接着面は、凸部１１１、１１２、１１３、１１４にそれぞれ取り付けられている。凸部１１１、１１２に取り付けられた接着部材２００が溝部１１１Ａ、１１２Ａを、少なくとも部分的に覆っている。
【００２０】
図２及び図３に示すように、表示パネル３００は、収納空間Ｓ内に配置され、複数の接着部材２００の他方の接着面に接着される。
【００２１】
図２及び図５に示すように、フレキシブルフレーム４００は、例えば、プラスチックとシリコーンとの混合物からなり、射出成形プロセスによって製造することができる。フレキシブルフレーム４００は、端部と端部とが接続された３つのサイドバー４１０、４２０、４３０を備えることができる。３つのサイドバー４１０、４２０、４３０は、表示パネル３００の３つの隣接する辺にそれぞれ配置されてもよい。サイドバー４１０、４２０、４３０の構造は同じであるので、以下の説明では簡略化のためにサイドバー４１０のみを図５に図示する。サイドバー４１０は、支持部４１１と、側部４１２と、カバー部４１３とを含む。側部４１２は、支持部４１１とカバー部４１３との間に位置して接続される。表示パネル３００の一部は、支持部４１１とカバー部４１３との間に挟まれている。
【００２２】
より詳細には、本実施形態では、カバー部４１３は、第１の当接面４１３Ａを有し、側部４１２は、第２の当接面４１２Ａを有してもよい。第１の当接面４１３Ａと第２の当接面４１２Ａは、表示パネル３００の隣接する辺にそれぞれ位置し、第１の当接面４１３Ａは、第２の当接面４１２Ａに対して鋭角θを有し、すなわち、第１の当接面４１３Ａが表示パネル３００に向かって傾斜しており、第１の当接面４１３Ａによって表示パネル３００を押圧することができる。その結果、カバー部４１３によって、フレキシブルフレーム４００に、表示パネル３００の位置を固定することができ、組立時における表示パネル３００の信頼性を高めることができる。
【００２３】
また、本実施形態において、カバー部４１３は、表示パネル３００の底板１１０側に位置し、カバー部４１３は、凸状のクッション４１３Ｂを有していてもよい。凸状のクッション４１３Ｂは、表示装置１０がキーボード上で折り畳まれて互いにぶつからないようにするために、バッファの役目を果たすように機能すする。さらに、凸状のクッション４１３Ｂ及びサイドバー４１０は、一体化することができ、全体的な組み立てプロセスを簡略化するのに有利である。
【００２４】
また、カバー部４１３の側部４１２の第２の当接面４１２Ａから突出部分の長さがＬ１であり、支持部４１１の第２の当接面４１２Ａからの突出部分の長さがＬ２である場合には、本実施形態ではＬ１はＬ２よりも小さくすることが好ましい。これは、表示領域を拡大するのに有益である。
【００２５】
本実施形態では、表示装置１０は、カバープレート５００と、溝部１１１Ａの一部とを含み、溝部１１２Ａの一部は、表示パネル３００の外縁部３１０から引き出されてもよい。カバープレート５００は、溝部１１１Ａ、１１２Ａの一部を覆うようにケーシング１００に着脱可能に装着されることで、表示装置１０の外観を美しくすることができる。表示装置の１０の分解が必要な場合には、カバープレート５００を取り外し、表示パネル３００に覆われていない部分から溝部１１１Ａ、１１２Ａに溶剤（例えば、アルコール）を注入して、接着部材２００を除去することで、接着部材２００のべたつきを防止することができる。これにより、表示パネル３００を損傷させることなく、容易に表示パネル３００をケーシング１００から取り外すことができる。
【００２６】
なお、上記実施形態では、接着部材２００は発泡テープであるが、凸部１１１、１１２に溝部１１１Ａ、１１２Ａを設け、アルコールを注入して接着面を清浄にする。しかしながら、本開示は、接着部材２００の種類に限定されない。他の実施形態では、接着部材は、対象物にくっつくが、剥がし易い粘着性パッドであってもよい。このような場合には、凸部に溝を設ける必要はなく、分解のために、粘着性パッドの一部分だけが表示パネル３００の縁の外側に露出されて引き離される。
【００２７】
また、本実施形態では、表示装置１０は、装飾板６００をさらに備えていてもよい。装飾板６００は、底板１１０の表示パネル３００から離れた側に着脱自在に装着することができる。
【００２８】
また、底板１１０には、表示パネル３００の外縁部３１０の外側に位置する貫通孔が形成されている。カバープレート５００をケーシング１００に組み付ける際には、表示装置１０の外観を美しくするために覆うことができる。したがって、カバープレート５００を取り外して工具（例えばドライバー）を使用して脱着孔１１６を貫通して装飾板６００を吊り上げることによって、装飾板６００を取り外すことができる。
【００２９】
以上説明した表示装置の実施形態によれば、可撓性を有するフレキシブルフレームと接着部材とによって、表示パネルをその前面に部品Ｂを置くことなく位置決めすることができる。これにより、表示装置の狭額縁化を図ることができる。また、表示パネルの表示領域を十分に活用して、小さな画面上においても表示領域を大きくすることができる。
【００３０】
また、フレキシブルフレームは、比較的安価であり、表示パネルを介してケーシングに配置することができるので、製造コストの低減や表示装置の組み立ての困難さを軽減することができる。
【００３１】
フレキシブルフレームを用いることにより、表示パネルは、部品Ｂなしで位置決めすることができる。その結果、表示パネルの表示領域を十分に活用して、小さな画面上においても表示領域を大きくすることができる。利点は、全体的なサイズの縮小、表示パネルへのバッファの提供、および小さな画面上のより大きな表示領域の提供を含む。
【００３２】
実施形態は、本開示の原理およびその実用的な適用を最もよく説明するために選択され、記載され、当業者が本開示および意図される特定の用途に適した様々な修正を有する様々な実施形態を最も良く利用できるようにする。本開示の範囲は、特許請求の範囲およびそれらの等価物によって定義されることが意図される。
【符号の説明】
【００３３】
１０：表示装置、１００：ケーシング、１１０：底板、１１１：凸部、１１１Ａ：溝部、１１２：凸部、１１２Ａ：溝部、１１３：凸部、１１４：凸部、１１５：パンチ孔、１１６：脱着孔、１２０：側板、２００：接着部材、３００：表示パネル、３１０：外縁部、４００：フレキシブルフレーム、４１０：サイドバー、４１１：支持部、４１２：側部、４１２Ａ：第２の当接面、４１３：カバー部、４１３Ａ：第１の当接面、４１３Ｂ：クッション、４２０：サイドバー、４３０：サイドバー、５００：カバープレート、６００：装飾板
【図１】
2018136524.tif 000003
【図２】
2018136524.tif 000004
【図３】
2018136524.tif 000005
【図４】
2018136524.tif 000006
【図５】
2018136524.tif 000007
【外国語明細書】
2018136524000001.pdf